(57)【要約】      （修正有）【課題】可膨張性ブラッダによって望ましいピッチに張ることのできる練習用ドラムを提供する。【解決手段】膨張可能なブラッダ１４、好ましくは空気ブラッダ、ならびに可膨張性ブラッダが支える表面およびドラムヘッド３６が支える表面を有する固定アセンブリを備える。空気チューブが膨張すると、そのチューブは、表面上にかかる圧力を増長し、それは、ドラムヘッド３６に伝わり、さらにドラムヘッド３６上のテンションの大きさが増大する。【選択図】図１
2011154393.tif 000002
【特許請求の範囲】
【請求項１】
ドラムボディと、ドラムボディに固定されたドラムヘッドと、ドラムボディに固定された可膨張性ブラッダと、可膨張性ブラッダの膨張に応答してドラムヘッドにテンションをかけるための手段と、可膨張性ブラッダを膨張させるための手段とを備える音楽用ドラムであって、該音楽用ドラムが練習用ドラムヘッドを有する練習用ドラムであり、さらに練習用ドラムをドラムシェル、ドラムヘッドおよび留めリングから形成されるドラムヘッドアセンブリと、テンションロッドのアセンブリと台輪を備える従来のドラムに取り付けるための手段を備え、前記練習用ドラムを従来のドラムに取り付けるための手段が、ドラムボディの外側に形成され、従来のドラムのドラムヘッドを超えて上方に従来のドラムから延長している部分の表面上に嵌合するガスケットであり、さらに該練習用ドラムヘッドと従来のドラムヘッドとの間の空間が中空である音楽用ドラム。
【請求項２】
可膨張性ブラッダを膨張させるための手段が膨張バルブであり、前記可膨張ブラッダが、空気ブラッダであり、さらに膨張−収縮バルブ軸を備える請求項１に記載のドラム。
【請求項３】
ガスケットが、ポリ塩化ビニルから形成される請求項１に記載の練習用ドラム。
【請求項４】
ガスケットが、発泡樹脂ガスケットである請求項１に記載の練習用ドラム。
【請求項５】
ドラムボディと、ドラムボディに固定されたドラムヘッドと、ドラムボディに固定された可膨張性ブラッダと、可膨張性ブラッダの膨張に応答してドラムヘッドにテンションをかけるための手段と、可膨張性ブラッダを膨張させるための手段とを備え、  テンションをドラムヘッドにかけるための手段が、ドラムボディにスライドできるように取り付けられ、ドラムヘッドにテンションをかけるための手段が、ドラムヘッドに面するブラッダの表面でブラッダによって支えられる表面を有するとともにドラムヘッドを支える表面を有する構造であり、可膨張性ブラッダをドラムボディに固定するための手段が、可膨張性ブラッダが置かれているドラムボディから内側に伸長するフランジであり、前記可膨張性ブラッダが一続きである音楽用ドラム。
【請求項６】
上部、底部および側面を有する円形の一続きの固定構造と、一続きの固定構造の側面表面の外側のくぼみと、固定構造の上部および側面をカバーするドラムヘッドと、一続きの固定構造の側面の外側のくぼみと一致する固定構造の側面に位置する一続きの可膨張性ブラッダと、ドラムヘッドを該固定構造に固定するための手段とを備え、該固定構造の側面表面が内側シェルを構成し、さらに該固定構造は、側面表面を囲む外側シェルと、外側シェルを内側シェルに固定するための手段とを備える練習用ドラムヘッドアセンブリであって、該っ練習用ドラムヘッドアセンブリはさらに、練習用ドラムヘッドをドラムシェル、ドラムヘッドおよび留めリングから形成されるドラムヘッドアセンブリと、テンションロッドのアセンブリと台輪を備える従来のドラムに固定するための手段を備え、前記練習用ドラムヘッドを従来のドラムに固定するための手段が、固定構造の外側の一続きのガスケットを含む練習用ドラムヘッドアセンブリ。
【請求項７】
前記ドラムヘッドを前記固定構造に固定するための手段が、複数の間隔を空けたホッチキスを含む請求項６に記載のドラムヘッドアセンブリ。
【請求項８】
前記音楽用ドラムが、２つのヘッドのドラムである請求項１に記載のドラム。
【請求項９】
前記ドラムヘッドがドラムの上部、底部および側面ならびに可膨張性ブラッダを覆って伸長する請求項１に記載のドラム。
【請求項１０】
ドラムボディと、ドラムボディに固定されたドラムヘッドと、ドラムボディに固定された可膨張性ブラッダと、可膨張性ブラッダの膨張に応答してドラムヘッドにテンションをかけるための手段と、可膨張性ブラッダを膨張させるための手段とを備える音楽用ドラムであって、該音楽用ドラムが、２つのヘッドのドラムであり、ドラムボデイの上部、底部および側面ならびに可膨張性ブラッダを覆って伸長する一続きのドラムヘッドを備え、ドラムボデイの側面はくぼみが形成された内側シェルであり、可膨張性ブラッダが前記くぼみに位置している音楽用ドラム。
【請求項１１】
ドラムボディと、ドラムボディに固定されたドラムヘッドと、ドラムボディに固定された可膨張性ブラッダと、可膨張性ブラッダの膨張に応答してドラムヘッドにテンションをかけるための手段と、可膨張性ブラッダを膨張させるための手段とを備える音楽用ドラムであって、該ドラムヘッドはドラムボディに固定された上部ヘッドおよび底部ヘッドからなり、該可膨張性ブラッダの膨張に応答してドラムヘッドにテンションをかけるための手段は、内側リングと、内側リングのガイドスロットと、その先端がガイドスロットに挿入された２つの圧力プレートを備え、該可膨張性ブラッダは該内側リングと2つの圧力プレートの間に取り付けられ、力をブラッダの膨張時に圧力プレートにかけるものである音楽用ドラム。
【請求項１２】
ドラムヘッドがメッシュを含む請求項１に記載のドラム。
【請求項１３】
ドラムヘッドがメッシュを含む請求項５に記載のドラム。
【請求項１４】
上部ヘッドが打つためのヘッドであり、底部ヘッドが共鳴ヘッドである請求項１１に記載のドラム。
【請求項１５】
１つのヘッドが、メッシュヘッドである請求項１１に記載のドラム。
【請求項１６】
ドラムヘッドがメッシュを含む請求項６に記載のドラム。
【請求項１７】
ドラムヘッドがメッシュを含む請求項１０に記載のドラム。
【発明の詳細な説明】
【技術分野】
【０００１】
本発明は、一般に音楽用ドラム、より詳細には、可膨張性ブラッダによって望ましいピッチに張ることのできる練習用および従来のドラムに関する。
【背景技術】
【０００２】
音楽用楽器のドラムは、長い間知られており、そのドラムには、基本的にボディおよびドラムヘッドを適切なテンションに張るための手段を有するドラムヘッドを備えることが必要とされ、それによって特定のドラム奏者が望むサウンドおよびアコースティックを提供する。
【発明の概要】
【発明が解決しようとする課題】
【０００３】
従来のアコースティックドラムは、一般に、力が上部ドラムヘッドおよび底部ドラムヘッドにかかるように配置された、ラグおよびテンションロッドシステムを有するボディを備えている。テンションロッドを締めると、圧力が、ドラムヘッドを取り付けている手段、すなわち通常ドラムヘッドのエッジを固定するためのエポキシを有する円形の一続きの縁にかかる。
【０００４】
さらに、練習用ドラムは、ミュージシャンが自分の技術を、典型的なアコースティックドラムに伴うサウンドを出すことなく伸ばすことを可能にするため開発されてきた。練習用ドラムは、テンションのほとんどないまたはテンションが全くない、ヘッドまたはパッドの形を取っており、一般的には、それによってドラムスティックが、表面を打っても、ほとんどサウンドを生み出さないか、またはサウンドを全く生み出さないようにすることができる。
【課題を解決するための手段】
【０００５】
本発明は、可膨張性ブラッダのアセンブリであって、それは、ミュージシャンがそのアセンブリを自分の望むピッチに張ることを可能にする手段を備えた、練習用ドラムまたは従来のドラムを提供するように構成されている。本質的に、そのシステムは、膨張可能な円形ブラッダ、好ましくは空気ブラッダ、ならびに可膨張性ブラッダが支える表面およびドラムヘッドが支える第２表面を有する固定アセンブリを備えている。空気チューブが膨張すると、そのチューブは、表面上にかかる圧力を増長し、それは、ドラムヘッドに伝わり、さらにヘッド上のテンションの大きさが増大することになる。
【０００６】
考慮中の練習用ヘッドでは、そのアセンブリは、本質的にドラムヘッドが取り付けられた円形壁に固定されたドラムヘッド、内側側面空気ブラッダ、およびブラッダとメッシュヘッドを直接接合する可膨張性ブラッダ上にある圧力プレート構造を備えている。本質的に、圧力プレート構造は、円形ソリッド構造であり、可膨張性ブラッダで支える表面を有しており、それには、可膨張性ブラッダで支える表面からメッシュヘッドの底部へ突き出ている延長部分があり、それはテンションをメッシュヘッドにかけるための手段となっている。さらに、練習用のドラムには、側面Ｄ型ガスケットがあり、それは練習用ドラムヘッドと従来のドラムの台輪間で効果的に強制嵌合を提供する。
本発明のアコースティックドラムは、音楽用ドラムであって、従来のボディ、ドラムボディに固定された上部ヘッドおよび底部ヘッド、ならびに可膨張性ブラッダアセンブリ、および可膨張性ブラッダの膨張によって生み出された力を上部および底部ヘッドに伝える圧力プレート手段を備えている。
【図面の簡単な説明】
【０００７】
【図１】本発明のドラムを一例で練習用ドラムとして使用できる形で例示している、従来のアコースティックドラムに取り付けられた本発明のドラムの正面断面図である。
【図２】従来のドラムに取り付けることができる、本発明のドラムの他の実施形態を正面横断断面図で示す図である。
【図３】従来のドラムに取り付けるように構成された、本発明のドラムの他の実施形態をさらに正面横断断面図で示す図である。
【図４】従来のドラムに取り付けるように構成された、本発明のドラムのさらに他の実施形態を正面断面図で示す図である。
【図５】選択するヘッドの材料に応じて、練習用ドラムまたはアコースティックドラムのいずれかとしての使用を例示する、本発明のドラムの正面断面図である。
【図６】図５で示しているドラムの分解図である。
【図７】本発明の可膨張性ブラッダを備えているドラムの他の実施形態を示す図である。
【図８】図７で示しているドラムの内側リングの透視図である。
【発明を実施するための形態】
【０００８】
本発明は、好ましい実施形態の説明および以下の図面を組み合わせて見るときに、より良く理解されよう。
【０００９】
本発明の可膨張性ブラッダのアセンブリは、練習用ドラムと演奏用ドラムの両方に適用できる。本発明のドラムを演奏用ドラムとして使用することを望む場合、ソリッドヘッドカバーリングを使用する。本発明のドラムを練習用ドラムとして使用することを望む場合、メッシュヘッドカバーリングの使用を考慮する。
【００１０】
図１で示しているように、可膨張性ブラッダのアセンブリ２は、従来のドラム４に付いた状態で示しており、これは、主に練習用のドラムとしての機能を意図している。
【００１１】
可膨張性ブラッダのアセンブリ２は、内側に配置された溝８を有するアルミニウムフレーム６を備え、好ましくは、溝８は、フレーム６に固定して付いているアルミニウムからなる。プラスチックまたは材木などの他の材料も使用することができる。溝８は、水平表面１０および垂直表面１２から構成されており、その垂直表面は、アセンブリ２に対して内側リングを形成し、円形に構成されている。従来の膨張バルブ１６とともに提供されている、好ましくは空気の、可膨張性ブラッダ１４は、溝８内に配置され、溝８の水平表面１０に上に置かれている。ブラッダ１４に支えられた水平表面２０および垂直の延長部材２２を有する、スライドできるように取り付けられた圧力プレート１８は、その上部が、ヘッド２４の内側表面を支えている。ヘッド２４は、アセンブリ２に、側面溝部材２６によって固定され、その中には、エポキシ２７または他の従来のドラムヘッド受け手段が、ヘッド２４の側面を溝部材２６に固く固定するために含まれている。フレーム６に装着された従来のラグ２８は、ヘッド２４をフレーム６に固定している。
【００１２】
フレーム６の外側には側面ガスケット３０が備えられ、取り外し可能な仕方で、従来のドラム４のアセンブリ２を固定することができる。
【００１３】
従来のドラム４は、一般に、ドラムシェル３２、ヘッド３６および留めリング３８から形成されるドラムヘッドのアセンブリ３４、テンションロッドのアセンブリ４０ならびに台輪４２を備えている。
【００１４】
図１の実施形態では、ガスケット３０は、デュロメーター硬度ショア５０Ａのフレシキブルなポリ塩化ビニルのＤ型ガスケットであるが、発泡樹脂ガスケットまたは機械式留め具などの、アセンブリ２と台輪４２間で強制嵌合を提供するための他の手段も使用することができる。通例から、圧力プレート１８用の適切な材料は、１６分の１インチ（１．６ｍｍ）のアルミニウムのアングルストックであることがわかっている。
【００１５】
操作時に、ミュージシャンは、ブラッダ１４を、膨張手段によりバルブ１６を通して膨張させ、圧力を圧力プレート１８にかけ、それは、テンション力をドラムヘッド２４に伝えることになり、それによって、ミュージシャンが練習用に得ることを望むテンションが提供されることになる。通常、ミュージシャンは、使用する自分のアコースティックドラムのテンションと同等のテンションに一致したテンションを選択する。
【００１６】
練習用ドラムで使用されるヘッドは、騒音を減少または最小限にするためにメッシュヘッドにすることが考慮される。
【００１７】
図２の実施形態は、本発明のドラムの他の例示である。図２の実施形態では、外側シェル４２が、内側シェル４４と接合されていることを示している。ドラムヘッド３６は、内側シェル４４を覆って、内側シェル４４のくぼみ４８を周り、そしてエポキシ４７へと装着するように配置されている。ブラッダ１４は、本質的に図１の実施形態のブラッダ１４と同じであるが、内側シェル４４のくぼみ４８に位置することを示しており、膨張によってヘッド材料３６は、くぼみ４８方向に、そしてくぼみ４８の反対方向に引かれ、それによって、ヘッド３６にテンションが生じる。膨張バルブ１６を、外側シェル４２を通って外側に延長して示しているが、内側シェル４４を通って内側に延長するように配置することもできる。また、ガスケット３０が備えられ、練習用ドラムを従来のドラムに付けることを可能にしている。
【００１８】
図３の実施形態は、再び外側シェル４２および内側シェル４４によって例示されている図１のドラムの他の変更形態で、内側シェル４４にくぼみ４８が備えられている。メッシュまたはソリッドヘッド３６は、再び内側シェル４４を覆って、内側シェルのくぼみ４８を周るように張られている。ヘッド材料は、内側と外側シェル間の接合の底部に位置するクランプリング５０に固定されている。クランプリング５０は、ヘッド３６を固定するエポキシ５３が詰められたアルミニウムケース５１である。ボルトまたはねじ５５が、フランジ５７を通って、クランプリング５０のねじ山５９に挿入され、そのアセンブリを固定している。また、ブラッダ１４は、前の練習用の実施形態のブラッダ１４と同じで、内側シェル４４内のくぼみ４８の中で装着されている。ガスケット３０または同様の手段が備えられ、練習用ドラムのアセンブリを従来のドラムに付けることを可能にしている。
【００１９】
図４の実施形態は、本発明のドラムの実施形態をさらに簡単にした形で、シェル５２、シェル５２の外側に張られ、シェル５２に複数の間隔を空けたホッチキス５４で固定されたヘッド３６を備えている。この実施形態では、ブラッダ１４およびブラッダバルブステム１６は、シェルの外側にあり、ヘッド３６は、ブラッダ１４の外側の周りに張ってある。ヘッド３６に調整可能なテンションを提供するためのアセンブリの操作は、ブラッダ１４を膨張および収縮させることで生じ、それでヘッド３６にはテンションが直接かかるので、圧力プレートなどの付加的な部品のいずれも必要ないのである。
【００２０】
図５で最良に理解されるように、２つのヘッドのドラム５６、すなわち打つためのヘッドおよび共鳴ヘッドを有するドラムを、本発明のブラッダのアセンブリとともに提供している。ドラム５６は、外側シェル５８、中央に配置したくぼみ６２を有する内側シェル６０、およびくぼみ６２の内に装着されたブラッダ１４を備えている。ドラムヘッド３６は、一続きの部品で、ドラムの上部から内側シェル６０を覆い、ブラッダ１４を周り、そして内側シェル６０の底部を周って張られ、それによって、使用するヘッド材料に応じて、練習用ドラムまたはアコースティックドラムのいずれかとして使用することができるドラムを提供している。図６で理解されるように、図５のドラム５６を、外側シェル５８、ブラッダ１４、内側シェル６０、およびヘッド３６を含んだ分解図で示している。
【００２１】
本発明の可膨張性ブラッダを採用する２つのヘッドのドラム６４の他の実施形態を図７で示している。そこでは、一続きではない上部ヘッド３６および底部ヘッド３７を、ヘッドをエポキシにはめ込んでいる従来のクランプリング６８とともに示している。上部ヘッド３６および底部ヘッド３７は、タング６９を用いて、クランプリング６８を捕らえるように構成された縁ガスケット６６を有する外側フレーム７０によって、ドラムに固定されている。ブラッダのアセンブリは、２つの圧力プレート７２、１つは上部ヘッド３６を支え、１つは低部ヘッド３７を支えているものを備えている。反力を、ブラッダ１４に提供するよう配置された内側リング７４も備えている。図８で理解されるように、内側リング７４は、その中に圧力プレート７２の先端７８を装着するガイドスロット７６を備えている。ブラッダ１４が膨張すると、圧力プレート７２がガイドスロット７６内で移動して、圧力が上部および低部ヘッドにかかる。この実施形態では、バルブ１６は、ドラムシェル外側フレーム７０を通って外側へ延長している。縁ガスケット６６は、変性ポリ塩化ビニルなどのセミフレキシブルな材料から形成することができ、それによって、ドラム６４からドラムヘッド３６および３７を取り外し可能にすることができる。セミフレキシブルな縁ガスケット６６は、ドライバーまたは他の道具によって、タング６９をクランプリング６８から外す程度で、ドラムから曲げて離すことができ、それによって、ドラムヘッドを、ドラム６４から撤去することができる。
【００２２】
図６および７の実施形態から理解できるように、本発明のブラッダ１４は、実質上、上部ドラムおよび低部ドラムヘッドのすべての地点で同一のテンションを提供する。この特徴は、多くの点において、かけられる単一の力が、従来のラグのアセンブリによって必要とされるばらばらのテンション地点ではなく、本質的に均一な圧力をドラムヘッドに提供するという点で、従来のラグおよびテンションのアセンブリよりも優れている。さらに、ドラムのテンションを提供するために単一のブラッダを使用することで、通常複数のロッドおよびラグを必要とする従来のテンションロッドおよびラグのアセンブリに付随的なコストを削減する。加えて、本発明の可膨張性ブラッダを用いると、より安価なシェルを使用することができる。それは、力が、局部的な力に依存するロッドおよびテンションのアセンブリとは異なり、均等にシェルに分散されるからである。
【図１】
2011154393.tif 000003
【図２】
2011154393.tif 000004
【図３】
2011154393.tif 000005
【図４】
2011154393.tif 000006
【図５】
2011154393.tif 000007
【図６】
2011154393.tif 000008
【図７】
2011154393.tif 000009
【図８】
2011154393.tif 000010